(57)【要約】【課題】球面ころのスキューを抑制することができる自動調心ころ軸受を提供する。【解決手段】２列の球面ころ１３を保持する保持器２０を備え、保持器２０は、円環状のリム２１と、リム２１から軸方向外側に延びる複数の柱部２２と、球面ころ１３を転動自在に保持するポケット２３と、を有し、柱部２２の円周方向側面２２ａは、球面ころ１３の転動面１３ａと対向する凹球面状に形成され、ポケット２３の底面２３ａは、平面状に形成され、保持器２０の中心軸が自動調心ころ軸受１０の中心軸に位置した状態、且つ球面ころ１３がポケット２３の円周方向中央に位置した状態において、球面ころ１３の転動面１３ａの最大径と柱部２２の円周方向側面２２ａの最大ポケット径との隙間Ｂ１，Ｂ２の総和を周方向隙間Ｂとし、球面ころ１３の端面１３ｂとポケット２３の底面２３ａとの隙間を軸方向隙間Ｃとしたとき、１．４５≦Ｂ／Ｃ≦２．３２の関係を満たす。【選択図】図２
2017078480.tif 000002
【特許請求の範囲】
【請求項１】
凹球面状の外輪軌道面をその内周面に形成する外輪と、
前記外輪軌道面と対向する一対の内輪軌道面をその外周面に形成する内輪と、
前記外輪軌道面と前記一対の内輪軌道面との間に、２列に分けて、両列毎に複数個ずつ転動自在に設けられる凸球面状の球面ころと、
前記両列の複数の球面ころを転動自在に保持する保持器と、を備え、
前記保持器は、前記両列の球面ころの間に配置される円環状のリムと、前記リムの軸方向側面の円周方向複数個所から軸方向外側に延びる複数の柱部と、円周方向に隣り合う前記柱部の間に形成され、前記球面ころを転動自在に保持するポケットと、を有し、
前記柱部の円周方向側面は、ポケット隙間を介して前記球面ころの転動面と対向する凹球面状に形成され、
前記リムの前記球面ころの端面と対向する面である前記ポケットの底面は、平面状に形成される自動調心ころ軸受であって、
前記保持器の中心軸が前記自動調心ころ軸受の中心軸に位置した状態、且つ前記球面ころが前記ポケットの円周方向中央に位置した状態において、前記球面ころの転動面の最大径と前記保持器の前記柱部の円周方向側面の最大ポケット径との隙間の総和を周方向隙間Ｂとし、前記球面ころの端面と前記保持器の前記ポケットの底面との隙間を軸方向隙間Ｃとしたとき、１．４５≦Ｂ／Ｃ≦２．３２の関係を満たすことを特徴とする自動調心ころ軸受。
【請求項２】
前記周方向隙間Ｂが０．１０ｍｍ〜０．５５ｍｍに設定されることを特徴とする請求項１に記載の自動調心ころ軸受。
【請求項３】
前記軸方向隙間Ｃが０．０５ｍｍ〜０．２７ｍｍに設定されることを特徴とする請求項１又は２に記載の自動調心ころ軸受。
【発明の詳細な説明】
【技術分野】
【０００１】
本発明は、自動調心ころ軸受に関し、より詳細には、製紙機械、金属の圧延機等の各種産業機械装置のロール等の回転支持部に組み込んだ状態で使用される自動調心ころ軸受に関する。
【背景技術】
【０００２】
従来の自動調心ころ軸受として、保持器の柱部の円周方向側面と球面ころの転動面との、保持器の径方向の最短距離をＨ１とし、保持器のポケットの球面ころの端面と対向する面（ポケットの底面）と球面ころの端面との、保持器の径方向の最短距離をＨ２とした場合に、Ｈ１≧Ｈ２の関係を満たすものが知られている（例えば、特許文献１参照。）。
【先行技術文献】
【特許文献】
【０００３】
【特許文献１】特許第４９８５８６１号公報
【発明の概要】
【発明が解決しようとする課題】
【０００４】
ところで、上記特許文献１に記載の自動調心ころ軸受では、上記Ｈ１≧Ｈ２の関係を満たすことにより、内輪の自重等により軸受の下側が負荷圏となり、軸受の上側が非負荷圏となった場合に、球面ころの端面とポケットの底面とを優先的に接触させて、球面ころのスキューを抑制することができるのであるが、球面ころと保持器の隙間をより適切に設定して、球面ころのスキューの更なる抑制が求められていた。
【０００５】
本発明は、前述した課題に鑑みてなされたものであり、その目的は、球面ころのスキューを抑制することができる自動調心ころ軸受を提供することにある。
【課題を解決するための手段】
【０００６】
本発明の上記目的は、下記の構成により達成される。
（１）凹球面状の外輪軌道面をその内周面に形成する外輪と、外輪軌道面と対向する一対の内輪軌道面をその外周面に形成する内輪と、外輪軌道面と一対の内輪軌道面との間に、２列に分けて、両列毎に複数個ずつ転動自在に設けられる凸球面状の球面ころと、両列の複数の球面ころを転動自在に保持する保持器と、を備え、保持器は、両列の球面ころの間に配置される円環状のリムと、リムの軸方向両側面の円周方向複数個所から軸方向外側に延びる複数の柱部と、円周方向に隣り合う柱部の間に形成され、球面ころを転動自在に保持するポケットと、を有し、柱部の円周方向側面は、ポケット隙間を介して球面ころの転動面と対向する凹球面状に形成され、リムの球面ころの端面と対向する面であるポケットの底面は、平面状に形成される自動調心ころ軸受であって、保持器の中心軸が自動調心ころ軸受の中心軸に位置した状態、且つ球面ころがポケットの円周方向中央に位置した状態において、球面ころの転動面の最大径と保持器の柱部の円周方向側面の最大ポケット径との隙間の総和を周方向隙間Ｂとし、球面ころの端面と保持器のポケットの底面との隙間を軸方向隙間Ｃとしたとき、１．４５≦Ｂ／Ｃ≦２．３２の関係を満たすことを特徴とする自動調心ころ軸受。
（２）周方向隙間Ｂが０．１０ｍｍ〜０．５５ｍｍに設定されることを特徴とする（１）に記載の自動調心ころ軸受。
（３）軸方向隙間Ｃが０．０５ｍｍ〜０．２７ｍｍに設定されることを特徴とする（１）又は（２）に記載の自動調心ころ軸受。
【発明の効果】
【０００７】
本発明によれば、球面ころの転動面の最大径と保持器の柱部の円周方向側面の最大ポケット径との隙間の総和を周方向隙間Ｂとし、球面ころの端面と保持器のポケットの底面との隙間を軸方向隙間Ｃとしたとき、１．４５≦Ｂ／Ｃ≦２．３２の関係を満たすため、球面ころのスキューを抑制することができ、自動調心ころ軸受の発熱や振動を抑制することができる。
【図面の簡単な説明】
【０００８】
【図１】本発明に係る自動調心ころ軸受の一実施形態を説明する断面図である。
【図２】図１のＡ−Ａ線断面図である。
【図３】図１に示す保持器の要部拡大斜視図である。
【発明を実施するための形態】
【０００９】
以下、本発明に係る自動調心ころ軸受の一実施形態について、図面に基づいて詳細に説明する。
【００１０】
本実施形態の自動調心ころ軸受１０は、図１に示すように、凹球面状の外輪軌道面１１ａをその内周面に形成する外輪１１と、外輪軌道面１１ａと対向する一対の内輪軌道面１２ａをその外周面に形成する内輪１２と、外輪軌道面１１ａと一対の内輪軌道面１２ａとの間に、２列に分けて、両列毎に複数個ずつ転動自在に設けられる凸球面状の球面ころ１３と、両列の複数の球面ころ１３を転動自在に保持する保持器２０と、を備える。なお、本実施形態では、内輪１２の外周面の軸方向両端部に鍔部が形成されていないが、その軸方向両端部に鍔部がそれぞれ形成されていてもよい。
【００１１】
保持器２０は、転動体案内の保持器であり、図１〜図３に示すように、両列の球面ころ１３の間に配置される円環状のリム２１と、リム２１の軸方向両側面の円周方向複数個所から軸方向外側に延びる複数の柱部２２と、円周方向に隣り合う柱部２２の間に形成され、球面ころ１３を転動自在に保持するポケット２３と、を有する。また、柱部２２は、その先端部が球面ころ１３の軸方向中間部を越えて延び、その先端部を他の部分と結合しない自由端形状である。
【００１２】
また、図３に示すように、保持器２０の柱部２２の円周方向側面２２ａは、ポケット隙間を介して球面ころ１３の転動面１３ａと対向し、その転動面１３ａと凹凸が逆の相似形の凹球面状に形成されている。また、保持器２０のリム２１の球面ころ１３の端面１３ｂと対向する面であるポケット２３の底面２３ａは、球面ころ１３の端面１３ｂと略平行な平面状に形成されている。なお、ポケット２３は、円周方向に隣り合う柱部２２，２２の相対する円周方向側面２２ａとポケット２３の底面２３ａにより画成されている。また、ポケット２３の底面２３ａは、リム２１の軸方向側面と同一である。
【００１３】
そして、本実施形態では、保持器２０の中心軸が自動調心ころ軸受１０の中心軸に位置した状態、且つ球面ころ１３がポケット２３の円周方向中央に位置した状態において、図２に示すように、球面ころ１３の転動面１３ａの最大径と保持器２０の柱部２２の円周方向側面２２ａの最大ポケット径との隙間Ｂ１，Ｂ２の総和を周方向隙間Ｂ（Ｂ１＋Ｂ２）とし、球面ころ１３の端面１３ｂと保持器２０のポケット２３の底面２３ａとの隙間を軸方向隙間Ｃとしたとき、１．４５≦Ｂ／Ｃ≦２．３２の関係を満たすように設定されている。なお、具体的には、例えば、周方向隙間Ｂが０．１０ｍｍ〜０．５５ｍｍに設定され、軸方向隙間Ｃが０．０５ｍｍ〜０．２７ｍｍに設定されている。
【００１４】
このように構成された自動調心ころ軸受１０では、球面ころ１３の端面１３ｂとポケット２３の底面２３ａとの係合により保持器２０の位置が規制され、また、ポケット２３の底面２３ａが平面状であるため、球面ころ１３のスキューが発生する傾向となったとしても、それ以上の球面ころ１３のスキューが抑制される。このため、自動調心ころ軸受１０の発熱や振動が抑制され、高速性の優れた自動調心ころ軸受１０が得られる。
【００１５】
以上説明したように、本実施形態の自動調心ころ軸受１０によれば、球面ころ１３の転動面１３ａの最大径と保持器２０の柱部２２の円周方向側面２２ａの最大ポケット径との隙間Ｂ１，Ｂ２の総和を周方向隙間Ｂ（Ｂ１＋Ｂ２）とし、球面ころ１３の端面１３ｂと保持器２０のポケット２３の底面２３ａとの隙間を軸方向隙間Ｃとしたとき、１．４５≦Ｂ／Ｃ≦２．３２の関係を満たすため、球面ころ１３のスキューを抑制することができ、自動調心ころ軸受１０の発熱や振動を抑制することができる。
【００１６】
なお、本発明は上記実施形態に例示したものに限定されるものではなく、本発明の要旨を逸脱しない範囲において適宜変更可能である。
例えば、上記実施形態では、両列の球面ころを両方保持する一体型の保持器に本発明を適用する場合を例示しているが、これに限定されず、両列の球面ころを個別に保持する分割型の保持器（リムの部分で軸方向に分割された保持器）に本発明を適用してもよい。
【符号の説明】
【００１７】
１０    自動調心ころ軸受
１１    外輪
１１ａ  外輪軌道面
１２    内輪
１２ａ  内輪軌道面
１３    球面ころ
１３ａ  転動面
１３ｂ  端面
２０    保持器
２１    リム
２２    柱部
２２ａ  円周方向側面
２３    ポケット
２３ａ  底面
Ｂ      周方向隙間
Ｃ      軸方向隙間
【図１】
2017078480.tif 000003
【図２】
2017078480.tif 000004
【図３】
2017078480.tif 000005